(57)【要約】【課題】省エネルギー性と利便性とを両立させることのできる画像形成装置を提供する。【解決手段】本発明の課題は、画像形成要求なしに移行時間Ｔが経過すると低電力モードに移行する画像形成装置において、所定期間内で、低電力モード開始後、一定時間（ｔ１）以内に画像形成がＸ回要求されたとき、Ｘが所定範囲（例えば低電力モード開始後ｔ２以上経ってから画像形成要求を受け付けた回数Ｚ）を超えれば、上記所定期間後の移行時間Ｔ’をこの移行時間Ｔよりも長く設定し、Ｘが上記所定範囲未満であれば上記移行時間Ｔ’をＴより短く設定し、上記数が上記設定範囲内であれば上記移行時間Ｔ’をＴと同一とするような移行時間設定部を設けることで解決される。【選択図】図４
2008052071.tif 000002
【特許請求の範囲】
【請求項１】
画像形成要求に応じて画像形成を実行する画像形成装置であって、
外部から画像形成要求を受け付ける受付部と、
画像形成後、上記受付部が画像形成要求を受け付けずに所定の移行時間が経過したときに、画像形成装置全体における消費電力を待機状態より低減させる低電力モードを実行する電力制御部と、
所定期間内において、低電力モード開始後、最初の画像形成要求を受け付けるまでの経過時間を集計する集計部と、
上記集計の結果から、上記経過時間が一定時間未満であった画像形成要求の数が所定範囲を超えれば、上記所定期間後の移行時間Ｔ’を上記所定期間内の移行時間Ｔよりも長く設定し、上記数が上記所定範囲未満であれば上記移行時間Ｔ’をＴより短く設定し、上記数が上記設定範囲内であれば上記移行時間Ｔ’をＴと同一とする移行時間設定部と、を備える画像形成装置。
【請求項２】
上記所定範囲は、上記一定時間が経過した後に受け付けられた画像形成要求の数である請求項１に記載の画像形成装置。
【請求項３】
上記移行時間設定部は、或る期間内における特定の時間帯における上記集計の結果に基づいて、他の期間内の同時間帯における移行時間を設定する請求項１又は２に記載の画像形成装置。
【発明の詳細な説明】
【技術分野】
【０００１】
本発明は、複写機、プリンタ、又はファクシミリ装置等の画像形成装置に関するものである。
【背景技術】
【０００２】
近年、種々の機器において省エネルギー化が図られており、画像形成装置においても消費電力の削減が試みられている。代表的な消費電力の削減方法として、非画像形成中に表示部又はヒ−タ等への電力供給を低減することで、消費電力を待機モードよりもさらに削減する低電力モ−ドで画像形成装置を動作させる技術が挙げられる。
【０００３】
例えば特許文献１の発明は、消費電力算出機能によりユーザが使用端末の消費電力値を把握することができる画像形成装置を提供することを目的としており、次のような構成となっている。すなわち、この画像形成装置では、電源投入後、各部のイニシャライズが終わると、タイマがカウントを開始して待機状態の消費電力値が算出され、待機状態中に省エネルギーモードへの移行条件を検知すると、省エネルギーモードに移行して不必要な電源系を遮断する。
【特許文献１】特開２００２−２２５３９５号公報（２００２年８月１４日公開）
【発明の開示】
【発明が解決しようとする課題】
【０００４】
上記従来の技術では、ユーザ自身が省エネルギーモードへ移行するための条件設定はユーザが行うようになっている。そのため、省エネルギー効果を高めるか、立ち上げを速くして利便性を良くするかはユーザが個々に判断することになる。また、ユーザにとってはこのような条件設定を行うことは負担となるため、一旦設定した条件を変更することは少ない。それゆえ、設定された条件によっては、期待される程の省エネルギー効果が得られない、又は逆に利便性に著しく劣るという問題が起きることがあった。
【０００５】
このような問題点に鑑み、本発明は、省エネルギー効果と利便性とを両立させることのできる画像形成装置を提供することを目的とする。
【課題を解決するための手段】
【０００６】
請求項１の画像形成装置は、画像形成要求に応じて画像形成を実行する画像形成装置であって、外部から画像形成要求を受け付ける受付部と、画像形成後、上記受付部が画像形成要求を受け付けずに所定の移行時間が経過したときに、画像形成装置全体における消費電力を待機状態より低減させる低電力モードを実行する電力制御部と、所定期間内において、低電力モード開始後、最初の画像形成要求を受け付けるまでの経過時間を集計する集計部と、上記集計の結果から、上記経過時間が一定時間未満であった画像形成要求の数が所定範囲を超えれば、上記所定期間後の移行時間Ｔ’を上記所定期間内の移行時間Ｔよりも長く設定し、上記数が上記所定範囲未満であれば上記移行時間Ｔ’をＴより短く設定し、上記数が上記設定範囲内であれば上記移行時間Ｔ’をＴと同一とする移行時間設定部と、を備える。
【０００７】
上記画像形成装置は、移行時間設定部によって、低電力モードに移行してから一定時間内に最初の画像形成要求が頻繁に受け付けられると、低電力モードへの移行を遅らせるように、移行時間Ｔ’を長くすることができる。こうすることで、低電力モードからの復帰電力を低減することができると共に、立ち上がりにかかる時間を短くして、利便性を高めることができる。また逆に、低電力モードへ移行してから最初の画像形成要求が受け付けられるまでの時間が比較的長い傾向があれば、移行時間Ｔ’を短く設定することで、待機時間を短くし、電力消費を低減することができる。
【０００８】
請求項２に記載の発明は、請求項１に記載の画像形成装置であって、上記所定範囲が、上記一定時間が経過した後に受け付けられた画像形成要求の数となっている。
【０００９】
こうすることで、低電力モード開始後の経過時間に対して画像形成要求がどのように分布しているか、すなわち低電力モード開始後一定時間以内に頻出しているか、それ以後に頻出しているか、偏りなく分布しているかが分かるので、より使用状況に応じた移行時間設定が可能となる。
【００１０】
請求項３に記載の画像形成装置は、請求項１又は２に記載の画像形成装置であって、上記移行時間設定部が、或る期間内の特定の時間帯における上記集計の結果に基づいて、他の期間内の同時間帯における移行時間を設定する。
【００１１】
こうすることで、画像形成要求の状況により応じた移行時間設定を行うことができる。例えば、一日の或る時間帯での集計結果に基づいて、他の日の同時間帯における移行時間を設定することで、一日のうちで時間帯によって移行時間を変えることができ、使用状況により合わせた制御が可能となる。上記「期間」は一日に限定されるものではなく、週、月、年等であってもよく、それに応じて「時間帯」も曜日、時節等とすることができる。
【発明の効果】
【００１２】
本発明の画像形成装置は、移行時間設定部によって、低電力モードに移行してから最初の画像形成要求受付までの時間が短い傾向にあると、低電力モードへの移行を遅らせることができる。こうすることで、低電力モードからの復帰電力を低減することができると共に、立ち上がりにかかる時間を短くして、利便性を高めることができる。また逆に、低電力モードへ移行してから長時間最初の画像形成要求が受け付けられない傾向にあるときは、移行時間Ｔ’を短く設定することで、待機時間を短くし、電力消費を低減することができる。こうすることで、本発明の画像形成装置は、利便性と省エネルギー性を両立させることができるという効果を奏する。
【発明を実施するための最良の形態】
【００１３】
本発明の実施の形態について、以下、図面を参照して説明するが、本発明はこれらの実施形態に限定されるものではない。また、以下の説明で特に言及しない構成については、従来公知の技術を好適に利用することができる。
【００１４】
〔１．複合機〕
図１は、本発明の実施の一形態である複合機（画像形成装置）１の要部構成を示すブロック図である。本実施形態では、画像形成装置の一例としてプリンタ、ＦＡＸ、コピー機として機能し得る複合機を挙げるが、本発明はこれに限定されるものではなく、種々の画像形成装置として実施可能である。
【００１５】
図１に示すように、この複合機１は、ユーザによる入力を受け付ける操作盤２、ネットワークを介して外部コンピュータと画像データ等を授受するためのインターフェイス３、外部ファクシミリと画像データ等を授受するための通信部４を備えることで、外部から画像形成要求を受け付けることができる。さらに、複合機１は、液晶表示素子等で形成され、画像処理についての情報等をユーザに示すための表示部５、画像形成及びスキャナ機能等を備えたプリンタ部６、複合機１内の各部材を制御するための制御装置７、タイマ群８、カウンタ９等を備える。
【００１６】
操作盤２、インターフェイス３、通信部４は、外部から画像形成要求を受け付けることができる受付部として機能する。
【００１７】
制御装置７は、ＣＰＵ，ＲＡＭ，ＲＯＭ，各種ドライバ及び各種ＩＯを含むマイクロコンピュータシステム等で構成されており、記憶部（集計部）７１、移行時間設定部７２、及び電力制御部７３を備える。
【００１８】
記憶部７１は、特に、複合機１が低電力モードに移行してから、操作盤２、Ｉ／Ｆ３、通信部４等が新たな画像形成要求を受け付けるまでの間の時間を記憶することができる。また、電力制御部７３は、移行時間設定部７２によって設定された移行時間Ｔに応じて複合機１内の各部材を制御することで、後述するように待機モード及び低電力モードを実行することができる。移行時間設定部７２による移行時間の設定方法については後述する。
【００１９】
タイマ群８は、後述のタイマａ、タイマｂを含み、電力制御部７３による待機モードから低電力モードへの切り替えや、移行時間制御部７２による移行時間の設定等に利用される。また、カウンタ９は、操作盤２、インターフェイス３、通信部４等が受け付けた画像形成要求の回数をカウントすることができる。
【００２０】
複合機１の更に具体的な構成について、図２を参照して説明する。図２は、プリンタ部６を中心とした複合機１の要部構成を示す正面図である。
【００２１】
図２に示すように、複合機１は、排出部８０及び本体９０を備えると共に、プリンタ部６として、画像形成部６１（６１Ｙ、６１Ｍ、６１Ｃ、６１Ｋ）、転写ユニット６２、定着装置６３、給紙搬送部６４、図示しないスキャナ及び内部インターフェイス部等を備える。
【００２２】
画像形成部６１は電子写真法を採用しており、回転可能な感光体ドラム６１１を備えると共に、感光体ドラム６１１の回転方向に沿ってクリーニング部６１２、帯電部６１３、レーザユニット６１４、現像部をそれぞれ備える。現像部は、感光体ドラム１上にトナーを搬送する現像ローラ６１６、現像ローラ６１６にトナーを供給する供給ローラ６１７、各色のトナーを収容するトナー収容部６１９を備える。
【００２３】
画像形成時には、帯電部６１３が感光体ドラム６１１を一様に帯電させた後、レーザユニット６１４が光による除電で静電潜像を描いて、現像部が静電潜像を各色のトナーで現像する。そして、転写ユニット６２による転写の後、クリーニング部６１２が感光体ドラム６１１から転写後の残トナーを除去する。
【００２４】
現像部によって現像された画像は、転写ユニット６２によって用紙上に転写される。転写ユニット６２は、転写ベルト６２１、駆動ローラ６２２、転写部６２３を含む、転写ベルトをこの転写ベルトユニット２６は、転写ベルト６２１及び駆動ローラ６２２によって、給紙搬送部６４によって搬送された用紙を吸着し、各感光体ドラム６１１に接触する位置にタイミング良く搬送する。そして、感光体ドラム６１１上のトナー画像を転写部６２３によって用紙上に転写する。
【００２５】
定着装置６３は、ヒートローラ６３１による熱圧着によって、トナー画像を用紙上に定着させる。定着装置６３には、ヒートローラ６３１の温度を制御する制御回路９０が接続されている。
【００２６】
こうしてトナー画像が定着された用紙は、給紙搬送部６４によって画像形成装置本体９０の外部に設けられた排出部８０まで搬送され、印刷が終了する。
【００２７】
〔２．待機モード・低電力モード〕
待機モード及び低電力モードについて、図３を参照して説明する。図３は複合機１のモード切替についての処理動作を示すフローチャートである。
【００２８】
電源が投入されると、複合機１において初期設定等の起動動作が行われる（Ｓ１）。
【００２９】
起動後の複合機１は待機モードに入る（Ｓ２）。待機モードとは、各部を画像形成要求に迅速に対応できるような状態に保持するものである。待機モードの具体的な動作は限定されないが、例えば用紙搬送部６４等は停止させつつ、ヒートローラ６３１の温度は画像形成時と同一、又はそれより低いが容易に画像形成時の温度にまで復帰できるような温度に保持してもよい。また、表示部５は印刷可能である旨画面を表示した状態で保持されてもよい。
【００３０】
待機状態になると共に、タイマａによる待機時間のカウントが開始される（Ｓ３）。画像要求が受け付けられるか（Ｓ４でＹｅｓ）、待機時間がＴに達するか（Ｓ７でＹｅｓ）、操作盤２等を介して電源ＯＦＦの指示を受け付ける（Ｓ１３でＹｅｓ）まで、複合機１は待機状態を継続し、かつタイマａによる待機時間のカウントも継続される。
【００３１】
画像形成要求が受け付けられると（Ｓ４でＹｅｓ）、タイマａのカウントはリセットされ（Ｓ５）、プリンタ部６による画像形成動作が実行される（Ｓ６）。その後、複合機１は再び待機モードに入る。
【００３２】
一方、画像形成要求がないまま待機時間がＴに達すると（Ｓ４でＮｏ、Ｓ７でＹｅｓ）、タイマａのカウントはリセットされ（Ｓ８）、複合機１は低電力モードに移行する（Ｓ９）。低電力モードは、画像形成要求があるか（Ｓ１０でＹｅｓ）、電源ＯＦＦの指示がある（Ｓ１０でＮｏかつＳ１２でＹｅｓ）まで継続される。低電力モードとは、待機モードよりさらに消費電力を低減させるモードである。具体的な動作は限定されないが、電力制御部７３により複合機１内の各部、特にプリンタ部６及び表示部５への電力供給回路の一部を、遮断又は他の回路に切り替えればよい。さらに具体的には、電力制御部７３は、通信部４等の外部からの画像形成要求を受け取る最小限の部材のみ通電状態とし、表示部５、プリンタ部６、特に制御回路９０を介したヒートローラ６３１への電力供給を遮断する等の処理を行うことができる。
【００３３】
画像形成指示があれば、電力制御部７３はプリンタ部６及び表示部５等、画像形成動作に必要な部材への電力供給を再開する（復帰動作、Ｓ１１）。なお、表示部５等、画像形成以外にも関与する部材については、画像形成要求に限らず、操作盤２、インターフェイス３、通信部４のいずれかが入力を受け付ければ復帰するようになっていてもよい。
【００３４】
復帰後、画像形成動作（Ｓ６）を終了すると、複合機１は再びステップＳ２から同様の動作を繰り返す。
【００３５】
図４は、複合機１の消費電力の変化の一例を示すグラフであり、横軸が時間、縦軸が消費電力を表す。図４に示すように、低電力モードからの復帰時には起動時と同程度の大きな電力を要する。それに対して、待機モードから画像形成動作を行うには、それほど大きな電力を要しない。しかし、待機モード中の消費電力は低電力モードの消費電力より大きくなる。
【００３６】
〔３．移行時間Ｔの設定方法〕
複合機１では、待機モード開始から低電力モード開始までの移行時間Ｔが可変になっている。複合機１は、移行時間Ｔを設定するために、所定期間において図５に示す処理動作を行うことができる。図５の処理動作は、ステップＳ１０１〜Ｓ１０３処理ステップを加えた以外は図３の処理動作と同様である。そのため、同じステップについては同符号を付すか、図示を適宜省略する。
【００３７】
上述したように、待機時間が移行時間Ｔに達すると、低電力モードへの移行が実行される（Ｓ９）。低電力モードに移行してからの経過時間は、タイマｂによってカウントされる（Ｓ１０１）。画像形成要求があると（Ｓ１０でＹｅｓ）、記憶部７１がタイマｂのカウント時間を記憶する（Ｓ１０２）。そしてタイマｂはリセットされ（Ｓ１０３）、電力制御部７３は複合機１の電力状態を復帰させる（Ｓ１１）。後の動作については図３で説明した通りである。
【００３８】
この動作を所定期間内で繰り返すことで、当該所定期間において、低電力モード開始後、最初の画像形成要求を受け付けるまでの経過時間が、記憶部７１にそれぞれ蓄積される。なお、この「所定期間」とは、時間、日、週、月等、種々の期間を適宜設定することができる。
【００３９】
移行時間設定部７２は、低電力モードに入ってから短時間で頻繁に画像形成動作が要求された場合は、所定期間後、移行時間Ｔを長く設定しなおすことができ、逆に低電力モードに入ってから画像形成動作が要求されるまでの時間が長い傾向にある場合は、移行時間Ｔを短く設定しなおすことができる（図６）。以下、変更後の移行時間Ｔ’をＴ’＝Ｔ＋ΔＴと表して、移行時間設定部７２の移行時間設定方法について具体的に説明する。
【００４０】
低電力モード開始（図４に“０”で示す）からの経過時間が一定時間（ｔ１）未満の期間を期間Ａとすると、移行時間設定部７２は、期間Ａ内での画像形成要求の受け付け回数Ｘが所定範囲より多ければΔＴ＞０とし、回数Ｘが所定範囲未満であればΔＴ＜０とし、回数Ｘが所定範囲内であればΔＴ＝０とする。
【００４１】
（３−１）「所定範囲」及びΔＴの正負の設定方法
移行時間設定の基準となる上記「所定範囲」は、予め設定しておいてもよいし、期間Ａ以外の期間における画像形成要求の数によって決定されてもよい。「所定範囲」及びΔＴの正負の設定方法について、下記（ｉ）〜（ｉｖ）に例を挙げて説明する。
【００４２】
（ｉ）所定範囲を一定の数値範囲とする場合
仮に、「所定期間」を一日、ｔ１を５分、「所定範囲」を３〜４回の範囲とする。この場合、或る一日において、期間Ａ（低電力モード開始から５分未満）での画像形成要求の合計回数Ｘが０〜２回であれば、移行時間設定部７２は、次の日の移行時間Ｔ’をＴより短くし（ΔＴ＜０）、回数Ｘが３又は４回であれば移行時間Ｔ’を前日と同一とし（ΔＴ＝０）、回数Ｘが５回以上であれば移行時間Ｔ’を前日よりも長く（ΔＴ＞０）設定する。
【００４３】
（ｉｉ）画像形成要求の回数に基づいて所定範囲を設定する場合−１
また、期間Ｂ及びＣ中、すなわち低電力モード移行後一定時間（ｔ１）以上が経過してから受け付けた画像形成要求回数（Ｙ＋Ｚ）を「所定範囲」とすることもできる。この場合、「所定期間」を一日、ｔ１を５分とすると、移行時間設定部７２は、或る一日において、期間Ａ（低電力モード開始から５分未満）での画像形成要求の合計回数Ｘと、期間（Ｂ＋Ｃ）中（低電力モード開始から５分以上経過）での画像形成要求の合計回数（Ｙ＋Ｚ）とを比較し、Ｘ−（Ｙ＋Ｚ）＜０であればΔＴ＜０、Ｘ＝（Ｙ＋Ｚ）であればΔＴ＝０、Ｘ−（Ｙ＋Ｚ）＞０であればΔＴ＞０として、翌日の移行時間Ｔ’を設定することができる。
【００４４】
（ｉｉｉ）画像形成要求の回数に基づいて所定範囲を設定する場合−２
上記（ｉｉ）欄において、（Ｙ＋Ｚ）をＺに置き換えてもよい。すなわち、期間Ｃ中、つまり低電力モード移行後時間ｔ２以上が経過してから受け付けた画像形成要求の回数Ｚを所定範囲に当たる「所定値」とすることもできる。なお、ｔ２はｔ２＞ｔ１を満たす。
【００４５】
（ｉｖ）画像形成要求の回数に基づいて所定範囲を設定する場合−３
上記（ｉｉ）及び（ｉｉｉ）において、期間Ａでの回数Ｘと他の期間の回数（Ｙ、Ｚ）との差でなく、比率を基準としてもよい。例えば、数値ｐを適宜設定し、Ｘ／Ｚ＞ｐであればΔＴ＞０、Ｘ／Ｚ＝ｐであればΔＴ＝０、Ｘ／Ｚ＜ｐであればΔＴ＜０としてもよい。またこの不等式中、Ｚの代わりに（Ｙ＋Ｚ）を用いてもよい。
【００４６】
（３−２）ΔＴの絶対値の設定方法
ΔＴの正負については上述したようにして設定することができるが、ΔＴの詳細、特にその絶対値については以下に述べるようにして設定可能である。ΔＴは、例えば各期間Ａにおける画像形成要求の回数Ｘに応じて、予め設定された値であってもよいし、移行時間設定部７２が演算によって決定するものであってもよい。下記（ｖ）〜（ｖｉ）に例を挙げて説明する。
【００４７】
（ｖ）ΔＴが予め設定されている場合
複合機１は、回数Ｘと上記（３−１）の各欄で述べた所定範囲（又は所定値）との差又は比率の大きさにΔＴを対応付けたテーブルを記憶部７１等に記憶しておき、移行時間設定部７２がこれを読み出すことで所定期間後の移行時間Ｔ’を設定するようになっていてもよい。このとき、ΔＴの絶対値は、回数Ｘが所定範囲から離れるほど大きくなるように設定されていることが好ましい。こうすることで、所定期間内において低電力モードに移行してから短時間での復帰動作が頻繁に実行された場合には、所定期間後、待機時間をより長くすることで、復帰による電力消費を低減することができ、立ち上げ時間も短くて済む。
【００４８】
（ｖｉ）ΔＴを演算によって決定する場合
移行時間設定部７２は、回数Ｘと上記（３−１）の各欄で述べた所定範囲（又は所定値）との差又は比率に定数Ｔａｄ（Ｔadjust）を乗じて得られる数値、又はさらに所定の演算を行って得られる数値をΔＴとして得、これに基づいてＴ’を設定してもよい。
【００４９】
さらに具体的な例として、移行時間設定部７２は、式
ΔＴ＝Ｔａｄ×（Ｘ−Ｚ）／（Ｘ＋Ｙ＋Ｚ＋ω）
によってΔＴを算出し、Ｔ’を設定することができる。ωは、低電力モード開始までの待機状態にある期間Ｗにおいて受け付けられた画像形成要求の回数である。このＴａｄは、予め設定される定数であり、移行時間を適切に設定するという本発明の目的を達成することができるものであれば、特に限定されるものではない。
【００５０】
（３−３）設定変更のタイミング等
図５の集計動作、及びこの集計結果に応じて移行時間を変更するタイミングは特に限定されるものではなく、適宜設定可能である。例えば、低電力モード移行時に常に図５の集計動作を行うようにして、毎日、その集計結果に基づいて移行時間設定部７２が翌日の移行時間を設定するようにしてもよいし、曜日毎に集計動作を行って、翌週の同曜日における移行時間をこの集計結果に基づいて設定してもよい。
【００５１】
また、移行時間設定部７２によって設定変更を行うまでの移行時間Ｔは初期設定値とすればよく、この初期設定値は、製造時に予め組み込まれている場合もあれば、ユーザが設定可能な場合もある。
【００５２】
以上に述べたように、本実施形態の複合機１は、タイマｂによって画像形成終了後の次の画像形成要求（低電力モード中の復帰要求）の発生時間を測定し、その発生時間を期間Ａ、Ｂ等の複数段階に分けて集計することができる。そして、この集計結果に基づいて翌日又は翌週等の移行時間を再設定することにより、複合機１の使用状況に合わせた移行時間を設定することができ、その結果、省エネルギーと利便性とを両立させることができる。また、複合機１は移行時間設定を自動的に行うことができるので、ユーザによる詳細な移行時間設定を必要とせず、ユーザにとっては利便性が高い。
【００５３】
以上の実施形態において、各欄に述べた技術は、それぞれ組み合わせて使用することができ、さらにこれらの技術に公知の技術を組み合わせて得られる技術範囲についても、本発明に含まれることはいうまでもない。
【図面の簡単な説明】
【００５４】
【図１】本発明の実施の一形態である画像形成装置の要部構成を示すブロック図。
【図２】上記画像形成装置のプリンタ部及びその周辺の部材を示す正面図。
【図３】上記画像形成装置における待機モード及び低電力モード実行動作を表すフローチャート。
【図４】上記画像形成装置における経過時間に対する消費電力量を表すグラフ。
【図５】待機モードから低電力モードへの移行時間設定時における画像形成動作要求状況の集計動作を表すフローチャート。
【図６】待機モードから低電力モードへの移行時間ＴをＴ’に変更したときの消費電力量を示すグラフ。
【符号の説明】
【００５５】
１    複合機（画像形成装置）
２    操作盤（受付部）
３    インターフェイス（受付部）
４    通信部（受付部）
５    表示部
６    プリンタ部
７１  記憶部（集計部）
７２  移行時間設定部
７３  電力制御部
８  タイマ群
９  カウンタ
【図１】
2008052071.tif 000003
【図２】
2008052071.tif 000004
【図３】
2008052071.tif 000005
【図４】
2008052071.tif 000006
【図５】
2008052071.tif 000007
【図６】
2008052071.tif 000008